【手続補正書】
【提出日】平成18年6月21日(2006.6.21)
【手続補正１】
【補正対象書類名】明細書
【補正対象項目名】特許請求の範囲
【補正方法】変更
【補正の内容】
【特許請求の範囲】
【請求項１】  多数の基地局から受信された制御信号の電力レベルをモバイルユニットにより監視し、
受信された制御信号の受信電力レベルが規定されたレベルを超える基地局の第1の組をモバイルユニットにより識別し、
識別された第１の組の基地局を識別するその組にある少なくとも１つの基地局にモバイルユニットから電力測定メッセージを送り、
ソフトハンドオフにあるモバイルユニットへ送信することが許可された基地局の第2の組を特定するメッセージを少なくとも1つの基地局によりモバイルユニットへ送り、
第１の組と第2の組の両方のメンバーである多数の基地局からソフトハンドオフにあるモバイルユニットに制御メッセージを通信し、
基地局の第2の組の少なくとも1つのメンバーが、制御信号の電力レベルに関係しているモバイルユニットにより提供される情報よりも他の独立したソフトハンドオフ情報に基づいて決定される、
スペクトラム拡散通信システムのモバイルユニットおよび基地局間の制御情報の伝送方法。
【請求項２】  モバイルユニットによって監視される制御信号がパイロット信号である請求項1の方法。
【請求項３】  モバイルユニットに通信された制御メッセージがページングメッセージを含む請求項1の方法。
【請求項４】  モバイルユニットに通信された制御メッセージが順方向共通制御チャンネルメッセージを含む請求項1の方法。
【請求項５】  モバイルユニットに通信された制御メッセージがページングメッセージと順方向共通制御チャンネルメッセージを含む請求項1の方法。
【請求項６】  ページングメッセージがモバイルユニットに送られる時間間隔を指定し、
多数の基地局からソフトハンドオフにあるモバイルユニットへ制御メッセージを通信することが、指定された時間間隔中ページングメッセージを通信することをさらに含む請求項1の方法。
【請求項７】  ページングメッセージがモバイルユニットに送られる時間間隔を指定し、および順方向共通制御チャンネルメッセージがモバイルユニットに送られる時間間隔を指定することをさらに含み、
多数の基地局からソフトハンドオフにあるモバイルユニットに制御メッセージを通信することが、指定された時間間隔中にページングメッセージを通信すること、および指定された時間間隔中に順方向共通制御チャンネルメッセージを通信することを含む請求項1の方法。
【請求項８】  モバイルユニットおよび少なくとも1つの基地局は、制御メッセージがモバイルユニットに送られる同じ時間間隔を別々に指定することをさらに含み、
多数の基地局からソフトハンドオフにあるモバイルユニットに制御メッセージを通信することが、指定された時間間隔中にページングメッセージを通信することを含む請求項1の方法。
【請求項９】  モバイルユニットおよび少なくとも1つの基地局は、制御メッセージがモバイルユニットのアイデンティティの少なくとも一部に基づいてモバイルユニットへ送られる同じ時間間隔を別々に指定することをさらに含み、
多数の基地局からソフトハンドオフにあるモバイルユニットに制御メッセージを通信することが、指定された時間間隔中にページングメッセージを通信することを含む請求項1の方法。
【請求項１０】  少なくとも1つの基地局に対しモバイルユニットを識別する組にある少なくとも1つの基地局へモバイルユニットからモバイルユニット識別メッセージ送り、
制御メッセージがモバイルユニットのアイデンティティの少なくとも一部に基づいてモバイルユニットへ送られる時間間隔を指定することをさらに含み、
時間間隔を指定することが、モバイルユニットのアイデンティティの少なくとも一部に基づいて同じ時間間隔に別々に到達しているモバイルユニットおよび少なくとも1つの基地局を含む請求項1の方法。
【請求項１１】  モバイルユニットが割り当てられたトラフィックチャンネルを持たないときモバイルユニットにより眠りモードに入り、モバイルユニットが割り当てられたトラフィックチャンネルを持たない時間から時間までモバイルユニットにより眠りモードから一時的に目覚めることをさらに含み、
ソフトハンドオフにあるモバイルユニットに制御メッセージを通信することは、モバイルユニットが割り当てられたトラフィックチャンネルを持たないときモバイルユニットが一時的に目覚める間に起こる請求項1の方法。
【請求項１２】  制御メッセージがモバイルユニットに送られる時間間隔を指定し、
モバイルユニットが割り当てられたトラフィックチャンネルを持たないときモバイルユニットにより眠りモードに入り、指定された時間間隔中モバイルユニットにより眠りモードから一時的に目覚めることをさらに含み、
ソフトハンドオフにあるモバイルユニットに制御メッセージを通信することは、モバイルユニットが割り当てられたトラフィックチャンネルを持たないとき指定された時間間隔中にモバイルユニットが一時的に目覚める間に起こる請求項1の方法。
【請求項１３】  制御メッセージがモバイルユニットに送られる時間間隔を指定することをさらに含み、
多数の基地局からソフトハンドオフにあるモバイルユニットに制御メッセージを通信することが指定された時間間隔中に起こる請求項1の方法。
【請求項１４】  制御メッセージがクイックページメッセージと対応する順方向共通制御チャンネルメッセージとを含み、さらに
クイックページメッセージおよび対応する順方向共通制御チャンネルメッセージがモバイルユニットに送られる時間間隔を指定することを含み、
多数の基地局からソフトハンドオフにあるモバイルユニットへ制御メッセージを通信することが、クイックページメッセージおよび対応している順方向共通制御チャンネルメッセージの指定された時間間隔中に起こる請求項1の方法。
【請求項１５】  多数の基地局から受信された制御信号の電力レベルをモバイルユニットにより監視し、
受信された制御信号の電力レベルに基づいた基地局の活動的な組をモバイルユニットにより識別し、
活動的な組を識別する少なくとも1つの基地局へモバイルユニットからメッセージを送り、
ソフトハンドオフにあるモバイルユニットへ制御信号を送信することが許可される基地局の組を特定するモバイルユニットへ少なくとも1つの基地局からハンドオフ許可メッセージを送り、
活動的な組と許可された基地局の組との両方のメンバーである多数の基地局からソフトハンドオフにあるモバイルユニットへ制御メッセージを通信し、
基地局の許可された組の少なくとも1つのメンバーが、制御信号の電力レベルに関係しているモバイルユニットにより提供される情報よりも他の独立したソフトハンドオフ情報に基づいて決定される、
スペクトラム拡散通信システムにおけるモバイルユニットおよび基地局間の制御情報の伝送方法。
【請求項１６】  制御メッセージがモバイルユニットに送られる時間間隔を指定することをさらに含み、
多数の基地局からソフトハンドオフにあるモバイルユニットに制御メッセージを通信することが指定された時間間隔中に起こる請求項15の方法。
【請求項１７】  受信された制御信号の電力レベルに基づいて基地局の候補の組をモバイルユニットにより識別し、
候補の組を識別する少なくとも1つの基地局へモバイルユニットからメッセージを送ることをさらに含み、
モバイルユニットの活動的な組および候補の組のメンバーシップは、モバイルユニットが活動的な組または候補の組を識別するメッセージを送る時間、および制御メッセージがソフトハンドオフで通信される時間の間で変化する請求項15の方法。
【請求項１８】  制御メッセージがモバイルユニットに送られる時間間隔を指定し、
モバイルユニットが割り当てられたトラフィックチャンネルを持たないときモバイルユニットにより眠りモードに入り、指定された時間間隔中にモバイルユニットにより眠りモードから一時的に目覚めることをさらに含み、
ソフトハンドオフにあるモバイルユニットに制御メッセージを通信することは、モバイルユニットが割り当てられたトラフィックチャンネルを持たないとき指定された時間間隔中にモバイルユニットが一時的に目覚める間に起こる請求項15の方法。
【請求項１９】  制御メッセージがクイックページメッセージと対応する順方向共通制御チャンネルメッセージとを含み、さらに
クイックページメッセージおよび対応する順方向共通制御チャンネルメッセージがモバイルユニットに送られる時間間隔を指定することを含み、
多数の基地局からソフトハンドオフにあるモバイルユニットへ制御メッセージを通信することが、クイックページメッセージおよび対応している順方向共通制御チャンネルメッセージの指定された時間間隔中に起こる請求項15の方法。
【請求項２０】  多数の基地局から受信されたパイロット信号の電力レベルをモバイルユニットにより監視し、
受信されたパイロット信号電力レベルが規定されたレベルを超えることに基づく基地局の第1の組をモバイルユニットにより識別し、
識別された第１の組の基地局を識別するその組にある少なくとも１つの基地局にモバイルユニットからメッセージを送り、
ページ信号を送信することを許可された基地局の組、およびソフトハンドオフにあるモバイルユニットへ順方向共通制御チャンネルメッセージを送信することが許可された基地局の組を特定するモバイルユニットへ少なくとも1つの基地局からハンドオフ許可メッセージを送り、
ページ信号および順方向共通制御チャンネルメッセージがモバイルユニットへ送られる時間間隔を指定し、
指定された時間間隔中に単一基地局から、または第１の組および許可された組の構成のオーバラップによるこのような指定された時間間隔中にソフトハンドオフにある多数の基地局から、モバイルユニットへページ信号を通信し、
指定された時間間隔中に単一基地局から、または第１の組および許可された組のオーバラップによるこのような指定された時間間隔中にソフトハンドオフにある多数の基地局から、対応している順方向共通制御メッセージを通信し、
基地局の許可された組の少なくとも1つのメンバーが、制御信号の電力レベルに関係しているモバイルユニットにより提供される情報よりも他の独立したソフトハンドオフ情報に基づいて決定される、
スペクトラム拡散通信システムにおけるモバイルユニットおよび基地局間の制御情報の伝送方法。